(57)【要約】【課題】必要に応じて指掛け穴のサイズを拡大させ持ち運びし易くまた指による持ち方を換えることができる持手部付きの包装袋を提供する。【解決手段】本体部と持手部を備えた衛生薄葉紙のフィルム包装体において、上記の持手部に左右所定間隔で複数個の指掛け穴が開けられ、これらの指掛け穴を連結させることが可能なミシン目が付与されたことを特徴とする包装袋。【選択図】  図６
2005008248.tif 000002
【特許請求の範囲】
【請求項１】
本体部と持手部を備えた衛生薄葉紙のフィルム包装体において、上記の持手部に左右所定間隔で複数個の指掛け穴が開けられ、これらの指掛け穴を連結させることが可能なミシン目が付与されたことを特徴とする包装袋。
【請求項２】
複数個の指掛け穴がそれらを連結しているミシン目の開封によって当該指掛け穴間で連結拡大された指掛け穴に形成される請求項１記載の包装袋。
【請求項３】
複数個の指掛け穴を連結させることが可能なミシン目が包装袋開封用のミシン目と交差させてある請求項１または２記載の包装袋。
【請求項４】
複数個の指掛け穴を連結させることが可能なミシン目が指掛け穴の外側へ伸び延長ミシン目を形成している請求項１から３までのいずれか１項記載の包装袋。
【請求項５】
延長ミシン目の開封によって当該指掛け穴がその外側に延長拡大された指掛け穴に形成される請求項４記載の包装袋。
【請求項６】
複数個の指掛け穴を連結させることが可能なミシン目は直線状および／または曲線状である請求項１から５までのいずれか１項記載の包装袋。
【請求項７】
複数個の指掛け穴を連結させることが可能なミシン目は１本ないしは複数本である請求項１から６までのいずれか１項記載の包装袋。
【請求項８】
複数個のトイレットペーパー等のロール製品を収容する本体部とこの本体部の上端側に持手部を備えた筒状フィルム包装体において、該持手部がチューブ状フィルムの左右両側にガセットを対称的に折り込んで平面状に折畳み固定した扁平形状であり、この持手部にガセット折り込み端縁を挟んで左右に所定間隔で複数個の指掛け穴が開けられ、これらの指掛け穴を連結させることが可能なミシン目がガセット折り込み端縁を横切って一本ないし複数本付与されたことを特徴とする包装袋。
【請求項９】
持手部に複数個の指掛け穴およびこれら指掛け穴を連結させることが可能なミシン目を囲むヒートシールを該持手部に施した請求項７記載の包装袋。
【請求項１０】
ヒートシールを覆うに十分な大きさで持手部の面より小さい１枚ないしは複数枚の補強用フィルムを持手部に適用した請求項８記載の包装袋。
【発明の詳細な説明】
【０００１】
【発明の属する技術分野】
本発明はトイレットペーパーやペーパータオルなどの衛生薄葉紙の持手部付き包装袋に関するものである。
【０００２】
【従来の技術】
【特許文献１】特開２００３−２６１９３公報
【０００３】
トイレットペーパー等の包装には、ポリエチレン等のフィルムを本体と持手部からなる包装袋に形成したものが用いられている。持手部には購入後持ち帰るときの為に指掛け穴が備えられているが、特に多数のロールを収納したものでは重くなり、２穴の従来の指掛け穴では穴の間隔に準じて指を広げた状態となり指が痛くなることがあった。
また、１穴の幅広の指掛け穴では、穴が広がりやすく持手部が千切れたりすることがあった。
【０００４】
【発明が解決しようとする課題】
必要に応じて指掛け穴のサイズを拡大させ持ち運びし易くまた指による持ち方を換えることができる持手部付きの包装袋を提供する。
【０００５】
【課題を解決するための手段】
本発明は本体部と持手部を備えたトイレットペーパーやペーパータオルなどの衛生薄葉紙のフィルム包装体の持手部に所定間隔で指掛け穴が開けられ、この穴を連結させることが可能なミシン目が付与された包装袋に係わる。
上記のミシン目は開封用のミシン目と交差させてもよく、また指掛け穴の外側へ伸びてもよい。
また、ミシン目は複数本でも良く、直線、曲線でも良い。
【０００６】
【実施の形態】
本発明は本体部と持手部を備えた衛生薄葉紙のフィルム包装体において、上記の持手部に左右所定間隔で複数個の指掛け穴が開けられ、これらの指掛け穴を連結させることが可能なミシン目が付与されたことを特徴とする包装袋に関する。上記において複数個の指掛け穴がそれらを連結しているミシン目の開封によって当該指掛け穴間で連結拡大された指掛け穴に形成されるもの、複数個の指掛け穴を連結させることが可能なミシン目が包装袋開封用のミシン目と交差させてあるもの、複数個の指掛け穴を連結させることが可能なミシン目が指掛け穴の外側へ伸び延長ミシン目を形成しているもの、延長ミシン目の開封によって当該指掛け穴がその外側に延長拡大された指掛け穴に形成されるもの、複数個の指掛け穴を連結させることが可能なミシン目は直線状および／または曲線状であるもの、および複数個の指掛け穴を連結させることが可能なミシン目は１本ないしは複数本であるものを包含する。
【０００７】
また本発明は複数個のトイレットペーパー等のロール製品を収容する本体部とこの本体部の上端側に持手部を備えた筒状フィルム包装体において、該持手部がチューブ状フィルムの左右両側にガセットを対称的に折り込んで平面状に折畳み固定した扁平形状であり、この持手部にガセット折り込み端縁を挟んで左右に所定間隔で複数個の指掛け穴が開けられ、これらの指掛け穴を連結させることが可能なミシン目がガセット折り込み端縁を横切って一本ないし複数本付与されたことを特徴とする包装袋に関する。
上記において持手部に複数個の指掛け穴およびこれら指掛け穴を連結させることが可能なミシン目を囲むヒートシールを該持手部に施したものおよびヒートシールを覆うに十分な大きさで持手部の面より小さい１枚ないしは複数枚の補強用フィルムを持手部に適用したものを包含する。
【０００８】
【発明の効果】
（１）必要に応じて指掛け穴のサイズを拡大させることができ、持ち運びしやすい。持ち運び時に指が痛くなったときなど穴を連結させることで持ち方を換えることができる。
（２）また、自転車等やショッピングカーなどの留め具への固定も容易となる。
（３）ミシン目は開封用のミシン等と同時に付与することができるため加工が容易である。
【０００９】
【実施例】
以下に本発明の実施例を示すが、これは例示の目的で掲げたもので、これによって本発明を何ら限定するものではない。
【００１０】
［実施例１］（包装袋）
図１は包装袋の平面図でチューブ状フィルムの左右両側を内側にガセット（ｇｕｓｓｅｔ）として折り込み左右のガセット折り込み端縁（１）が中央で近接した位置で平面状に折り畳みその上端側には左右の縦方向および端線（１）（１）を横切るライン状のシールを施して表裏一体の扁平形状に固定して持手部（２）を構成する。
（４）はチューブ形状に展開可能な本体部である。持手部（３）には左右２個の指掛け穴（５）（５）が左右のガセット折り込み端縁（１）を挟んで左右対称位置に設けられている。
（６）は連結用ミシン目である。
チューブ状フィルムの下端側は図２に示すように開放されている。図３は実装状態の包装袋（包装体）の斜視図でトイレットペーパーロール製品（４）が前後左右各２列で上下３段に計１２個収容されているが、これらはチューブ状フィルムの本体部下端の開放部から挿入された後、下端にシール止め（１２）が施される。
【００１１】
［実施例２］（指掛け穴の構成１）
図４は持手部の指掛け穴周辺を示したもので、左右の指掛け穴（５）は左右の張り出し弧状の切込み（ａ）と左右の弧状の切込みを連結している一部切残し線（ｂ）とで形成され、一部切残し線（ｂ）を破断することで連結部（ｃ）で連結された舌片状の遊離片として指掛け穴を開封するようになっている。左右の指掛け穴（５）（５）間には横方向の連結用ミシン目（６）が設けられている。
（７）は補強フィルム、（８）はヒートシールで指掛け穴（５）および連結用ミシン目（６）を囲んで設けられている。
【００１２】
［実施例３］
図５は包装袋にその開封用ミシン目を設けた場合の例を示し、横方向の連結用ミシン目（６）が縦方向の開封用ミシン目（９）に直交交差している。
図４および図５の例においては連結ミシン目（６）の開封によって当該指掛け穴間で左右の指掛け穴（５）（５）が１つの連結拡大された指掛け穴に形成される場合を示めしている。
【００１３】
［実施例４］（指掛け穴の構成２）
図６に示すように左右の指掛け穴（５）（５）間を連結ミシン目（６）で連結すると共にこの連結ミシン目（６）を左右の指掛け穴（５）（５）を越えて更に外側に延長し、延設ミシン目（１０）（１０）を設けた例である。
延設ミシン目（１０）は張り出し弧状の切り込み（ａ）の外側に形成した同じく張り出し弧状のミシン目（ｄ）と指掛け穴（５）から延びてミシン目（ｄ）に連結する直線状ないし曲線状ミシン目（ｅ）とからなっている。
本例の場合には連結ミシン目（６）の開封によって当該指掛け穴間で左右の指掛け穴（５）（５）が１つの連結拡大された指掛け穴に形成される他、指掛け穴を自転車やショッピングカーなどの留め具に固定する場合等上記連結拡大された指掛け穴の更なる拡大が望まれる場合には延設ミシン目（１０）を開封することによって当該指掛け穴が更に外側に延長拡大された指掛け穴に形成することができる。
【００１４】
［実施例５］（補強シール）
図７は指掛け穴（５）（５）およびこれらを連結するミシン目（６）を囲んでシール（８）を施す他、更にその左右外側に第２のシール（１１）を施して補強した例である。
この例は指掛け穴を自転車等やショッピングカーなどの留め具へ固定する場合に有効である。
【図面の簡単な説明】
【図１】本発明の適用される包装袋の平面図である。
【図２】同上の下端側の見取り図である。
【図３】図１の包装袋に被包装物を実装したときの斜視図である。
【図４】本発明の実施例２を示す指掛け穴の構成説明図である。
【図５】本発明の実施例３を示す指掛け穴の構成説明図である。
【図６】本発明の実施例４を示す指掛け穴の構成説明図である。
【図７】本発明の実施例５を示すシールを更に外側につけた補強説明図である。
【符号の説明】
１…ガセット折込み端縁
２…持手部
３…本体部
４…ロール製品
５…指掛け穴
６…連結用ミシン目
７…補強フィルム
８…ヒートシール
９…開封ミシン目
１０…延設ミシン目
１１…第２の外側シール
１２…シール止め
ａ…弧状の切り込み
ｂ…一部切残し線
ｃ…連結部
ｄ…弧状の外側ミシン目
ｅ…連結ミシン目
【図１】
2005008248.tif 000003
【図２】
2005008248.tif 000004
【図３】
2005008248.tif 000005
【図４】
2005008248.tif 000006
【図５】
2005008248.tif 000007
【図６】
2005008248.tif 000008
【図７】
2005008248.tif 000009